(57)【特許請求の範囲】
【請求項１】
装飾体を交換可能な、身体の一部に装着される装飾品であって、
前記装飾体がスライド自在に嵌合する取付部と、
前記取付部に嵌合した前記装飾体の前端が対向する、前記取付部の一端側に設けられた挟装部と、
前記取付部に嵌合した前記装飾体の後端に対向して前記装飾体を前記挟装部と共に挟装する第１の揺動位置および前記第１の揺動位置から身体側に揺動して前記装飾体の前記取付部に対するスライドを妨げない第２の揺動位置の間で揺動可能な、前記取付部の他端側に揺動自在に軸支された揺動体と、
前記揺動体を前記第１の揺動位置に向かって常に付勢する付勢手段と、
その一端が前記取付部に接続されるとともにその他端が前記揺動体を介して前記取付部に接続されて、身体の被装着部に外嵌される環状部分を前記取付部および前記揺動体と共に形成する装着体と、を備え、
前記装着体は、前記揺動体の前記第２の揺動位置への揺動を妨げないように湾曲自在であることを特徴とする装飾品。
【請求項２】
前記環状部分は、その軸線が前記揺動体の揺動軸と平行であることを特徴とする請求項１に記載した装飾品。
【請求項３】
前記第１の揺動位置から第２の揺動位置に揺動する方向が、前記環状部分の内側に向かう方向であることを特徴とする請求項２に記載した装飾品。
【請求項４】
前記装着体は、前記揺動軸と平行に延びる複数の支軸によって相対揺動自在に相互に接続された複数の金属製の分割部分を有することを特徴とする請求項２または３に記載した装飾品。
【請求項５】
前記身体の被装着部は指であり、かつ前記装着体が指輪の一部を構成することを特徴とする請求項１乃至４のいずれかに記載した装飾品。
【請求項６】
前記身体の被装着部は腕であり、かつ前記装着体が腕輪の一部を構成することを特徴とする請求項１乃至４のいずれかに記載した装飾品。
【請求項７】
装飾体を交換可能な、身体の首に吊り下げるペンダントであって、
前記装飾体がスライド自在に嵌合する取付部と、
前記取付部に嵌合した前記装飾体のスライド方向の前端が対向する、前記取付部の一端側に設けられた挟装部と、
前記取付部に嵌合した前記装飾体のスライド方向の後端に対向して前記装飾体を前記挟装部と共に挟装する第１の揺動位置および前記第１の揺動位置から身体側に揺動して前記装飾体の前記取付部に対するスライドを妨げない第２の揺動位置の間で揺動可能な、前記取付部の他端側に揺動自在に軸支された揺動体と、
前記揺動体を前記第１の揺動位置に向かって常に付勢する付勢手段と、
前記ペンダントを身体の首に吊り下げるための紐状部材が挿通される、前記揺動体に隣接して前記取付部に設けられた挿通孔と、
を備え、
前記挿通孔は、前記挿通孔内に前記紐状部材が挿通されると、前記揺動体が前記紐状部材に係合して前記第２の揺動位置に揺動できないように構成されていることを特徴とする装飾品。
【発明の詳細な説明】
【０００１】
【発明の属する技術分野】
本発明は身体に装着される指輪、腕輪、ブレスレット、腕時計、ペンダント、ネックレス、ネクタイピン等の装飾品に関し、より詳しくは、宝石、真珠、時計等の装飾体をこれらの指輪や腕輪等間で使い回し可能な装飾品に関する。
【０００２】
【従来の技術】
従来、身体に装着される指輪、腕輪、ブレスレット、腕時計、ペンダント、ネックレス、ネクタイピン等の装飾品のなかには、例えば指輪に取り付けられているダイヤモンドを取り外して腕輪に取り付ける等、一つの装飾体を複数の装飾品間で使い回し可能とする技術が種々提案されている。
【０００３】
例えば、特開平９−１４０４２１号公報に記載された指輪においては、図１３に示したように、リング部１にスライド台２を設けるとともに図示されない装飾体にスライド枠３を設け、スライド台２とスライド枠３とを着脱自在に嵌合させることにより、一つの装飾体を指輪に取り付けたりペンダントヘッドとして用いたりできるようにしている。
また、スライド台２の一端側に設けた支軸４によりアーム５を揺動自在に軸支するとともに、スライド台２に嵌合したスライド枠３の末端係合部６にアーム５の先端を係合させることにより、スライド台２に装着した装飾体の脱落を防止するようになっている。
【０００４】
また、特開２００１−１４９１２１号公報に記載された指輪においては、図１４に示したように、略Ｕ字形をなす本体部分１０の両端部に、略弓形の形状をなす一対のブリッジ部１１，１２を支軸１１ａ，１２ａを用いてそれぞれ軸支している。
一方のブリッジ部１１の先端傾斜面１１ｂと他方のブリッジ部１２の先端傾斜面１２ｂとを当接させつつ、本体部分１０に対する一対のブリッジ部１１，１２の取付角度を変化させれば、指輪の内径を所望の値に調節することができる。
そして、指輪の内径を所望の値に調節した後に、所定半径の形状を有した装飾体１３を選択し、ねじ１４を用いて一対のブリッジ部１１，１２上にそれぞれ螺着することにより、所望の内径を有する指輪を完成させることができる。
【０００５】
【発明が解決しようとする課題】
ところで、上述した特開平９−１４０４２１号公報に記載された指輪においては、スライド台２はその先端が先つぼまりに形成されている。
この場合、スライド台２およびスライド枠３には寸法のバラツキがあるから、スライド台２にスライド枠３を嵌合させたときに、スライド台２上におけるスライド枠３のスライド方向の停止位置が変化してしまう。
これにより、アーム５を用いてスライド枠３を係止できない場合が生じるから、装飾体がスライド台２上から脱落するおそれがある。
特に装飾体がダイヤモンド等の高価な品物である場合には、装飾体の脱落は大きな問題となる。
【０００６】
また、スライド台２上に装飾体を係止するアーム５が、細長く小さな部材として形成されている。
また、アーム５の揺動軸がリング部１の軸線と垂直であり、かつアーム５はスライド台２の下方で揺動する構造であるから、アーム５を用いて装飾体を係止する作業および係止を解除する作業を容易に行うことができない。
【０００７】
そこで本発明の目的は、上述した従来技術が有する問題点を解消し、装飾体を確実に保持可能であり、かつ装飾体を容易に交換可能な装飾品を提供することにある。
【０００８】
【課題を解決するための手段】
上記の課題を解決する請求項１に記載の手段は、
装飾体を交換可能な、身体の一部に装着される装飾品であって、
前記装飾体がスライド自在に嵌合する取付部と、
前記取付部に嵌合した前記装飾体の前端が対向する、前記取付部の一端側に設けられた挟装部と、
前記取付部に嵌合した前記装飾体の後端に対向して前記装飾体を前記挟装部と共に挟装する第１の揺動位置および前記第１の揺動位置から身体側に揺動して前記装飾体の前記取付部に対するスライドを妨げない第２の揺動位置の間で揺動可能な、前記取付部の他端側に揺動自在に軸支された揺動体と、
前記揺動体を前記第１の揺動位置に向かって常に付勢する付勢手段と、
その一端が前記取付部に接続されるとともにその他端が前記揺動体を介して前記取付部に接続されて、身体の被装着部に外嵌される環状部分を前記取付部および前記揺動体と共に形成する装着体と、を備え、
前記装着体は、前記揺動体の前記第２の揺動位置への揺動を妨げないように湾曲自在であることを特徴としている。
なお、取付部のうち、装飾体がスライド自在に嵌合する部分をテーパ状ではなくストレート状に形成する。
装飾体が取付部に外嵌する構造とすることもできるし、装飾体が取付部に内嵌する構造とすることもできる。
揺動体を付勢する付勢手段の付勢力は、装飾体に慣性力等が作用しても揺動体が装飾体に押動されて容易に揺動することがなく、装飾体を取付部上に確実に保持可能な大きさに設定する。
挟装部および揺動体がそれぞれ装飾体に直接接触し、装飾体を直接挟持する構造とすることもできる。
【０００９】
このように構成された請求項１に記載の装飾品においては、挟装部および揺動体が装飾体を挟装するとともに、付勢手段が常に揺動体を第１の揺動位置に向かって付勢しているから、挟装部および揺動体によって装飾体を取付部上に確実に保持することができる。
また、装着体が湾曲自在であるから揺動体の揺動を妨げることがなく、揺動体を第２の揺動位置に揺動させて取付部に装飾体を着脱する作業を極めて容易に行うことができる。
また、装着体を操作することにより揺動体を容易に第２の揺動位置に揺動させることができるから、取付部に装飾体を着脱する作業を容易に行うことができる。
また、挟装部および揺動体によって装飾体を直接挟持する場合には、装飾体のガタつきを防止することができる。
また、装着体を湾曲自在とするために、例えば天然皮革、合成皮革、高分子材料、金属製のバンドとすることができる。
【００１０】
請求項２に記載の手段は、請求項１に記載した装飾品において、前記環状部分の軸線が、前記揺動体の揺動軸と平行であることを特徴としている。
【００１１】
また、請求項３に記載の手段は、請求項２に記載した装飾品において、前記第１の揺動位置から第２の揺動位置に揺動する方向が、前記環状部分の内側に向かう方向であることを特徴としている。
【００１２】
このように構成された請求項２または３に記載の装飾品によれば、環状部分を撓ませることによって揺動体を容易に揺動させることができる。
【００１３】
請求項４に記載の手段は、請求項２または３に記載した装飾品において、前記装着体が、前記揺動軸と平行に延びる複数の支軸によって相対揺動自在に相互に接続された複数の金属製の分割部分から構成したものである。
複数の分割部分とは、例えば装飾品が腕時計の場合には金属製の鎖の一部若しくは駒である。腕輪や腕時計に限らず、指輪の場合にもその環状部分を複数部分に分割することができる。
【００１５】
このように構成された請求項４に記載の装飾品においては、装着体を構成する複数の分割部分が相対揺動するから揺動体の揺動を妨げることがなく、揺動体を第２の揺動位置に揺動させて取付部に装飾体を着脱する作業を極めて容易に行うことができる。
【００１６】
請求項５に記載の手段は、請求項１乃至４のいずれかに記載した装飾品において、前記身体の被装着部は指であり、かつ前記装着体が指輪の一部を構成することを特徴としている。
【００１７】
このように構成された請求項５に記載の装飾品においては、環状部分を指に外嵌すると揺動体が指の表面に当接するから、揺動体が指側したがって第２の揺動位置側に揺動することができない。
これにより、請求項５の装飾品を指に嵌めた状態においては装飾体が取付部から脱落することがない。
【００１８】
請求項６に記載の手段は、請求項１乃至４のいずれかに記載した装飾品において、前記身体の被装着部は腕であり、かつ前記装着体が腕輪の一部を構成することを特徴としている。なお、腕輪には、腕時計やブレスレットが含まれる。
【００１９】
このように構成された請求項６に記載の装飾品においては、環状部分を腕に外嵌させると揺動体が腕の表面に当接するから、揺動体が腕側したがって第２の揺動位置側に揺動することができない。これにより、請求項６の装飾品を腕に嵌めた状態においては、装飾体が取付部から脱落することがない。
【００２０】
請求項７に記載の手段は、
装飾体を交換可能な、身体の首に吊り下げるペンダントであって、
前記装飾体がスライド自在に嵌合する取付部と、
前記取付部に嵌合した前記装飾体のスライド方向の前端が対向する、前記取付部の一端側に設けられた挟装部と、
前記取付部に嵌合した前記装飾体のスライド方向の後端に対向して前記装飾体を前記挟装部と共に挟装する第１の揺動位置および前記第１の揺動位置から身体側に揺動して前記装飾体の前記取付部に対するスライドを妨げない第２の揺動位置の間で揺動可能な、前記取付部の他端側に揺動自在に軸支された揺動体と、
前記揺動体を前記第１の揺動位置に向かって常に付勢する付勢手段と、
前記ペンダントを身体の首に吊り下げるための紐状部材が挿通される、前記揺動体に隣接して前記取付部に設けられた挿通孔と、
を備え、
前記挿通孔は、前記挿通孔内に前記紐状部材が挿通されると、前記揺動体が前記紐状部材に係合して前記第２の揺動位置に揺動できないように構成されていることを特徴としている。
【００２１】
このように構成された請求項７に記載の装飾品においては、挿通孔すなわちバチカンに挿通されたチェーン等の紐状部材に揺動体が係合し、揺動体の第２の揺動位置への揺動を阻止することができる。
これにより、このペンダントヘッドにチェーン等の紐状部材を取り付けた使用状態においては、装飾体のペンダントヘッドからの脱落を確実に防止することができる。
【００２２】
【発明の実施の形態】
以下、本発明に係る装飾品の各実施形態を、図１乃至図１２を参照して詳細に説明する。なお、以下の説明においては、同一の部分に同一の符号を用いることによりその説明を省略する。
【００２３】
第１実施形態
まず最初に図１〜図５を参照し、本発明に係る第１実施形態の装飾品について詳細に説明する。
【００２４】
図１および図２に示したように、本第１実施形態の装飾品１００は、時計部分（装飾体）２０および指輪部分（環状部分）３０を備えた指輪である。
【００２５】
時計部分２０は、時計本体２１と、この時計本体２１の下部に設けられた嵌合部２２とを有している。
時計本体２１には、時計としての機能を果たすために必要な全てのメカニズム、および文字盤等の装飾部分が含まれている。
嵌合部２２には、図３に示したように凹溝２３が凹設されている。この凹溝２３は切削加工により形成されるもので、その各内壁面はストレート状、すなわち図示する紙面に対して垂直に延びている。また、この凹溝２３の左右一対の内壁面には突条２３ａ，２３ｂが互いに対向するように突設されている。
【００２６】
指輪部分３０は、図２に示したように、時計部分２０がスライド自在に嵌合する取付部３１を有している。
この取付部３１は機械加工により形成されるもので、図３に示したように、その各外壁面はストレート状、すなわち図３を示す紙面に対して垂直に延びている。
また、左右一対の外壁面には、時計部分２０側に形成した左右一対の突条２３ａ，２３ｂとそれぞれ嵌合する凹溝３１ａ，３１ｂが凹設されている。
これにより、時計部分２０の嵌合部２２を指輪部分３０の取付部３１に外嵌した状態では、時計部分２０は指輪部分３０の取付部３１に対し、図３において図示上下方向および図示左右方向、言い換えるとスライド方向に対して垂直な方向に相対変位することができず、ガタつきが生じることがない。
【００２７】
図２に示したように、取付部３１の図示左端側に連設された挟装部３２の図示上端部には、取付部３１に嵌合した時計部分２０の前端が当接する。
挟装部３２の図示下端部には、複数の支軸３３を介して相対揺動自在に相互接続された複数の分割部分３４の一つが支軸３３によって軸支されている。そして、これらの分割部分３４が一体となって装着体３５を形成している。
【００２８】
図４に示したように、取付部３１の図示右端側には、揺動体３６が支軸３７によって揺動自在に軸支されている。
揺動体３６の図示下端部には、装着体３５を構成する分割部分３４の一つが支軸３３によって揺動自在に軸支されている。
これにより、装着体３５は、その一端が取付部３１の挟装部３２に接続されるとともにその他端が揺動体３６を介して取付部３１に接続され、取付部３１および揺動体３６と共に指輪部分（環状部分）３０を形成している。
揺動体３６は、図２に示したように挟装部３２と共に時計部分２０を挟持する第１の揺動位置と、図５に示したように指輪部分３０内に挿通される指（身体）側に揺動して取付部３１に対する時計部分２０のスライドを妨げない第２の揺動位置との間で、自在に揺動することができる。
【００２９】
図４に示したように、取付部３１に揺動体３６を軸支している支軸３７には、ばね（付勢手段）３８が装着されている。
ばね３８は、その図示左端部が取付部３１の下面に凹設された凹溝３１ａ内に装着されるとともに、その図示右端部が揺動体３６の側面に凹設された凹溝３６ｂ内に装着されている。
これにより、このばね３８は、揺動体３６を第１の揺動位置（図２参照）に向かって図示反時計方向に常に付勢する。
なお、ばね３８の付勢力は、時計部分２０に慣性力や衣服等との接触による外力が作用しても、揺動体３６が時計部分２０によって押動されて揺動することがなく、取付部３１上に時計部分２０を確実に保持可能な大きさに設定される。
【００３０】
指輪部分３０の取付部３１に時計部分２０を着脱する際には、図５に示したように、環状の指輪部分３０をその半径方向内側に押圧して変形させ、揺動体３６を第２の揺動位置まで揺動させる。
このとき、環状の指輪部分３０の軸線および支軸３７の軸線は、図５を示す紙面に対して共に垂直であり、互いに平行である。
さらに、指輪部分３０が複数の分割部分３４から構成されている。
したがって、指輪部分３０を円環状からいびつな環状に容易に湾曲させることができるから、揺動体３６を第２の揺動位置に向かって容易に揺動させることができる。
【００３１】
図５に示したように、揺動体３６が第２の揺動位置に揺動した状態においては、取付部３１に対する時計部分２０の矢印Ｂで示した方向の変位を揺動体３６が妨げることはない。
これにより、時計部分２０を取付部３１から取り外すとともに、他の種類の装飾体、例えば宝石等を取付部３１に装着する作業を容易に行うことができる。
【００３２】
これに対して、図２に示したように、指輪部分３０の取付部３１に時計部分２０を取り付けた状態においては、取付部３１の挟装部３２とばね３８によって付勢されている揺動体３６とが、時計部分２０を図示左右方向に挟持する。
これにより、時計部分２０が挟装部３２と揺動体３６との間でがたつくことがない。
さらに、指輪部分３０に指を挿通したときには、揺動体３６は指側、すなわち環状の指輪部分３０の半径方向内側に揺動することができない。
これにより、時計部分２０に大きな外力が作用しても、時計部分２０が指輪部分３０の取付部３１から脱落することがない。
【００３３】
第２実施形態
次に図６〜図８を参照し、本発明に係る第２実施形態の装飾品について詳細に説明する。
【００３４】
図６および図７に示したように、本第２実施形態の装飾品２００は、時計部分２０および腕輪部分（環状部分）４０を備えた腕時計である。
【００３５】
時計部分２０は、上述した第１実施形態におけるそれと同一であるからその説明を省略する。
【００３６】
腕輪部分４０は、図７に示したように時計部分２０がスライド自在に嵌合する取付部４１を有しているが、その形状は上述した第１実施形態における指輪部分３０の取付部３１と同一であるからその説明を省略する。
【００３７】
図７に示したように、取付部４１の図示左端側に連設された挟装部４２の図示上端部には、取付部４１に嵌合した時計部分２０の前端が当接している。
また、挟装部４２に揺動自在に軸支された取付金具４３には、湾曲自在な帯状部材としての革バンド（装着体）４４の一端が固定されている。
革バンド４４の他端は取付金具４５に固定されているが、この取付金具４５は揺動体４６に揺動自在に軸支されている。
【００３８】
図７に示したように、揺動体４６は支軸４７によって取付部４１の図示右端側に揺動自在に軸支されている。
揺動体４６は、図７に示したように挟装部４２と共に時計部分２０を挟持する第１の揺動位置と、図８に示したように腕輪部分４０内に挿通される腕（身体）側に揺動して取付部４１に対する時計部分２０のスライドを妨げない第２の揺動位置との間で、自在に揺動することができる。
【００３９】
図７に示したように、取付部４１に揺動体４６を軸支している支軸４７には、ばね（付勢手段）４８が装着されている。
ばね４８は、その図示左端部が取付部４１の下面に凹設された凹溝４１ａ内に装着されるとともに、その図示右端部が揺動体４６の下面に凹設された凹溝４６ａ内に装着されている。
これにより、このばね４８は、揺動体４６を第１の揺動位置（図７参照）に向かって図示反時計方向に常に付勢する。
なお、ばね４８の付勢力は、時計部分２０に慣性力や衣服等との接触による外力が作用しても、揺動体４６が時計部分２０に押動されて揺動することがなく、取付部４１上に時計部分２０を確実に保持可能な大きさに設定される。
【００４０】
腕輪部分４０の取付部４１に時計部分２０を着脱する際には、図８に示したように、革バンド４４の揺動体４６側の端部を指でつまんで引っ張ることにより、揺動体４６を第２の揺動位置まで容易に揺動させることができる。
このとき、革バンド４４は柔軟で自在に湾曲することができるから、揺動体４６の第２の揺動位置への揺動を妨げることがない。
【００４１】
図８に示したように、揺動体４６が第２の揺動位置に揺動した状態においては、取付部４１に対する時計部分２０の矢印Ｂで示した方向の変位を揺動体４６が妨げることはない。
これにより、時計部分２０を取付部４１から取り外すとともに、他の種類の装飾体、例えば宝石等を取付部４１に装着する作業を容易に行うことができる。
【００４２】
これに対して、図７に示したように、腕輪部分４０の取付部４１に時計部分２０を取り付けた状態においては、取付部４１の挟装部４２と、ばね４８によって付勢されている揺動体４６とが、時計部分２０を図示左右方向に挟持する。
これにより、時計部分２０が挟装部４２と揺動体４６との間でがたつくことがない。
さらに、腕輪部分４０に腕を挿通すると、揺動体４６は腕側、すなわち環状の腕輪部分４０の半径方向内側に揺動することができない。
これにより、時計部分２０に大きな外力が作用しても、時計部分２０が腕輪部分４０の取付部４１から脱落することがない。
【００４３】
第３実施形態
次に図９〜図１２を参照し、本発明に係る第３実施形態の装飾品について詳細に説明する。
【００４４】
図９乃至図１１に示したペンダント３００は、本第３実施形態の装飾品の参考例であって、時計部分２０、ペンダントヘッド５０およびチェーンＣを備えている。
【００４５】
時計部分２０は、上述した第１実施形態におけるそれと同一であるからその説明を省略する。
【００４６】
ペンダントヘッド５０は、図１０に示したように時計部分２０がスライド自在に嵌合する取付部５１を有しているが、その形状は上述した第１実施形態における指輪部分３０の取付部３１と同一であるからその説明を省略する。
【００４７】
図１０に示したように、取付部５１の図示下端側に連設された挟装部５２の図示左端部には、取付部５１に嵌合した時計部分２０の前端が当接している。
また、取付部５１の図示上端部には、揺動体５３が支軸５４によって揺動自在に軸支されている。
揺動体５３は、図１０に示したように挟装部５２と共に時計部分２０を挟持する第１の揺動位置と、図１１に示したように取付部５１に対する時計部分２０のスライドを妨げない第２の揺動位置との間で、自在に揺動することができる。
【００４８】
図１０に示したように、取付部５１に揺動体５３を軸支している支軸５４には、ばね（付勢手段）５５が装着されている。
ばね５５は、その図示下端部が取付部５１の図示右側面に凹設された凹溝５１ａ内に装着されるとともに、その図示上端部が揺動体５３の図示右側面に凹設された凹溝５３ａ内に装着されている。
これにより、このばね５５は、揺動体５３を第１の揺動位置（図１０参照）に向かって図示反時計方向に常に付勢する。
なお、ばね５５の付勢力は、時計部分２０に慣性力や衣服等との接触による外力が作用しても揺動体５３が時計部分２０によって押動されて揺動することがなく、取付部５１上に時計部分２０を確実に保持可能な大きさに設定される。
【００４９】
ペンダントヘッド５０の取付部５１に時計部分２０を着脱する際には、図１１に示したように、バチカン５６に挿通したチェーンＣ引っ張ることにより揺動体５３を第２の揺動位置に揺動させる。
図１１に示したように、揺動体５３が第２の揺動位置に揺動した状態においては、取付部５１に対する時計部分２０の矢印Ｂで示した方向の変位を揺動体５３が妨げることはない。
これにより、時計部分２０を取付部５１から取り外すとともに、他の種類の装飾体、例えば宝石等を取付部５１に装着する作業を容易に行うことができる。
【００５０】
これに対して、図１０に示したように、ペンダントヘッド５０の取付部５１に時計部分２０を取り付けた状態においては、取付部５１の挟装部５２と、ばね５５によって付勢されている揺動体５３とが、時計部分２０を図示上下方向に挟持する。
これにより、時計部分２０が挟装部５２と揺動体５３との間でがたつくことがない。
また、時計部分２０に大きな外力が作用しても、ばね５５の付勢力によって揺動体５３が取付部５１に対して揺動することがないから、時計部分２０がペンダントヘッド５０の取付部５１から脱落することがない。
【００５１】
次に、図１２を参照して本第３実施形態の装飾品について説明すると、このペンダント４００はペンダントヘッド６０の取付部６１に時計部分２０を取り付けたものである。
取付部６１の図示下端部に挟装部６２が設けられるとともに、図示上端部に揺動体６３が揺動自在に設けられている点は、上述したペンダントヘッド５０と同一である。
しかしながら、チェーン（紐状部材）Ｃを挿通するバチカン（挿通孔）６４は、揺動体６３と隣接するように取付部６１に設けられている。
【００５２】
ペンダントヘッド６０に時計部分２０を取り付けた後にバチカン６４にチェーンＣを挿通すると、揺動体６３はバチカン６４内に挿通されたチェーンに係合するから第２の揺動位置に揺動することができない。
これにより、本変形例のペンダント４００においては、バチカン６４からチェーンＣを取り除かない限り、ペンダントヘッド６０の取付部６１から時計部分２０を取り外すことができない。
したがって、時計部分２０がペンダントヘッド６０から脱落することを確実に防止することができる。
【００５３】
以上、本発明に係る装飾品の各実施形態について詳しく説明したが、本発明は上述した実施形態によって限定されるものではなく、種々の変更が可能であることは言うまでもない。
例えば、上述した実施形態においては、指輪、腕時計およびペンダントの間で時計部分を使い回す場合を例にとって説明したが、本発明をネクタイピン等の他の装飾品に適用することも可能である。
【００５４】
【発明の効果】
以上の説明から明らかなように、本発明の装飾品は、複数の装飾品間で使い回し可能な装飾体を取付部に対してスライド自在に嵌合させるとともに、取付部の一端に設けた挟装部と他端に設けた揺動体とによって装飾体を挟装し、かつ付勢手段により装飾体に向かって揺動体を常に付勢する構造であるから、装飾体が取付部からスライドして脱落することを防止して装飾体を取付部上に確実に保持することができる。
また、取付部を指や腕に装着するための装着体の一端を取付部に接続するとともに、装着体の他端を揺動体を介して取付部に接続する構造であるから、装着体を操作することにより揺動体を揺動させて取付部に対する装飾体の脱着を可能とする作業を極めて容易に行うことができる。
したがって本発明によれば、装飾体を確実に保持することが可能であり、かつ装飾体を容易に交換することができる装飾品を提供することができる。
【図面の簡単な説明】
【図１】第１実施形態の装飾品を示す平面図。
【図２】図１に示した装飾品の側面図。
【図３】図２中に示したＡ−Ａ破断線に沿った断面図。
【図４】図１に示した装飾品の要部を拡大して示す断面図。
【図５】装飾体の着脱作業を説明する側面図。
【図６】第２実施形態の装飾品を示す平面図。
【図７】図６に示した装飾品の側面図。
【図８】装飾体の着脱作業を説明する側面図。
【図９】参考例の装飾品を示す正面図。
【図１０】図９に示した装飾品の要部破断側面図。
【図１１】図１０に示した装飾体の着脱作業を説明する側面図。
【図１２】第３実施形態の装飾品を示す側面図。
【図１３】特開平９−１４０４２１号公報に記載された指輪を示す断面図。
【図１４】特開２００１−１４９１２１号公報に記載された指輪を示す正面図。
【符号の説明】
１  リング部
２  スライド台
３  スライド枠
４  装飾体
５  アーム
６  係止部
１０  本体部分
１１，１２  ブリッジ部
１２，１３  装飾体
１４  ねじ
２０  時計部分
２１  時計本体
２２  嵌合部
２３  凹溝
３０  指輪部分
３１  取付部
３２  挟装部
３３  支軸
３４  分割部分
３５  装着体
３６  揺動体
３７  支軸
３８  ばね
４０  腕輪部分
４１  取付部
４２  挟装部
４３  取付金具
４４  革バンド
４５  取付金具
４６  揺動体
４７  支軸
４８  ばね
５０  ペンダントヘッド
５１  取付部
５２  挟装部
５３  揺動体
５４  支軸
５５  ばね
５６  バチカン
６０  ペンダントヘッド
６１  取付部
６２  挟装部
６３  揺動体
６４  バチカン
１００  第１実施形態の装飾品
２００  第２実施形態の装飾品
３００  参考例の装飾品
４００  第３実施形態の装飾品
【図１】
0003667674.tif 000002
【図２】
0003667674.tif 000003
【図３】
0003667674.tif 000004
【図４】
0003667674.tif 000005
【図５】
0003667674.tif 000006
【図６】
0003667674.tif 000007
【図７】
0003667674.tif 000008
【図８】
0003667674.tif 000009
【図９】
0003667674.tif 000010
【図１０】
0003667674.tif 000011
【図１１】
0003667674.tif 000012
【図１２】
0003667674.tif 000013
【図１３】
0003667674.tif 000014
【図１４】
0003667674.tif 000015